(57)【要約】【課題】位置ずれを容易な操作で適正に修正し、ボタン指定を正確に行い得るようにする。【解決手段】画像メモリ１４の所定アドレスに記憶された２個の調整用基準マークを読み出す調整用基準マーク表示制御部１１４と、調整用基準マーク表示制御部１１４によって画像表示器９に調整用基準マークが表示されている間に押圧操作によって生じるタッチパネル１６からの押圧検知位置情報を取り込む押圧位置座標取得部１１１と、所定アドレスに押圧位置座標取得部１１１で取り込んだ押圧検知位置情報を対応づける位置調整部１１５を備えた。【選択図】      図３
2004185145.tif 000002
【特許請求の範囲】
【請求項１】
画像メモリから読み出された所定のボタンの画像を表示する画像表示器の表示面に積層されたタッチパネルから出力される押圧検知位置情報と画像メモリのアドレス情報とを対応させるタッチパネル制御装置であって、前記画像メモリの所定アドレスに記憶された少なくとも２個の調整用基準マークを前記画像表示器に読み出す調整用基準マーク表示制御手段と、前記調整用基準マーク表示制御手段によって前記画像表示器に前記調整用基準マークが表示されている間に押圧操作によって生じる前記タッチパネルからの押圧検知位置情報を取り込む押圧位置情報取得手段と、前記所定アドレスに前記押圧位置情報取得手段で取り込んだ押圧検知位置情報を対応づける位置調整手段とを備えたことを特徴とするタッチパネル制御装置。
【請求項２】
前記表示画面を調整モードに切り替える調整モード切替手段を備え、前記調整用基準マーク表示制御手段は、調整モードへの切り替えに応じて前記調整用基準マークの表示を行うことを特徴とする請求項１記載のタッチパネル制御装置。
【請求項３】
前記タッチパネルから出力される押圧検知位置情報が、ボタンの画像データが書き込まれた画像メモリのアドレス範囲外であることを判定し、その判定回数をカウントするずれ回数計測手段を備え、前記調整モード切替手段は、前記ずれ回数計測手段のカウント値が所定値に達すると調整モードに切り替えることを特徴とする請求項２記載のタッチパネル制御装置。
【請求項４】
前記ずれ回数計測手段は、画面全体と画面に対して部分的とでずれ判定の結果を得て個別にカウントするもので、前記調整用基準マーク表示制御手段は、判定結果が画面全体に亘っている場合には、表示画面の対角位置に全体用の調整用基準マークを表示し、判定結果が部分的である場合には、表示画面の当該部分の領域の対角位置に部分用の調整用基準マークを表示し、前記位置調整手段は、全体用の調整用基準マークを表示した場合は、前記タッチパネルの押圧検知位置情報と前記アドレスとの関係を全範囲に亘って修正し、部分用の調整用基準マークを表示した場合は、タッチパネルの該部分の領域内について前記タッチパネルの押圧検知位置情報と前記アドレスとの関係を修正することを特徴とする請求項３記載のタッチパネル制御装置。
【請求項５】
前記位置調整手段は、前記所定アドレスに前記押圧位置座標取得手段で取り込んだ押圧検知位置情報を所定量だけ所定方向にずらして対応づけるようにしたことを特徴とする請求項１〜４のいずれかに記載のタッチパネル制御装置。
【請求項６】
画像メモリから読み出された所定のボタンの画像を表示する画像表示器の表示面に積層されたタッチパネルから出力される押圧検知位置情報と画像メモリのアドレス情報とを対応させるタッチパネル制御方法であって、前記画像メモリの所定アドレスに少なくとも２個の調整用基準マークを読み出し可能に記憶し、前記画像表示器に前記調整用基準マークが表示されている間に押圧操作によって生じる前記タッチパネルからの押圧検知位置情報を取り込み、前記所定アドレスに、前記調整用基準マークが表示されている間に取り込んだ押圧検知位置情報を対応づける位置調整を行うことを特徴とするタッチパネル制御方法。
【発明の詳細な説明】
【０００１】
【発明の属する技術分野】
本発明は、表示画面に対する指示操作用のインターフェースとして機能するタッチパネルに関し、特に画像メモリから読み出された所定のボタンの画像を表示する画像表示器の表示面に積層されたタッチパネルから出力される押圧検知位置情報と画像メモリのアドレス情報とを、いわば位置的に対応させるタッチパネルの制御技術に関する。
【０００２】
【従来の技術】
近年、複写機は、種々の画像形成モードが設定可能になってきており、これに伴ってモード（機能）の種類も増大している。多数のモードを選択的に指定可能にすると操作部のキー群の構成も複雑化、大型化することから、従来の機械的な操作キーの一部を液晶表示器の画面にボタンとして選択可能に表示するようになってきている。さらに、液晶表示器の表示面に透明なパネル状タッチセンサが重畳され、画面上のボタンの表示位置を、すなわちタッチセンサを押圧することで該ボタンに対応付けられた機能を選択指定した処理を行うようにして高い操作性を得ているものが知られている。タッチセンサは、例えば透明なゴム材と導電性フィラを配合してなるパネル状の加圧導電性ゴムであり、押圧位置に応じた（加圧位置に応じた）電気抵抗を生じ得る結果、導電性フィラ両端での電圧レベルが変化するもので、この両端の電圧レベルを検出することによってパネル面での押圧位置を検知するものである。そして、検知座標と液晶表示器に表示されたボタンのビデオＲＡＭ（ＶＲＡＭ）内の格納アドレスとの予めの関連付けを利用することで、表示画面内のボタン画像のいずれが指定されたかが認識できるようになっている。
【０００３】
【発明が解決しようとする課題】
タッチセンサは、上述の通り、透明なゴム材と導電性フィラとを配合したものからなり、加圧によって導電性粒子が電気的に接触することで前記抵抗が変化するものであるから、ゴム材の経年変化、環境温度変化などに起因して加圧時の抵抗が全体としてあるいは部分的に変化することが考えられ、また両端の電圧を検出するために供されるプルアップ電圧が比較的長期に亘って変動することも考えられる。このような変動が生じると、タッチセンサの同一箇所を押圧しても、時によって異なる検知座標を出力することとなり、液晶表示器に表示されたボタンのビデオＲＡＭ（ＶＲＡＭ）内の格納アドレスとの予めの関連付けが無意味となって、表示画面内の所望のボタン画像上を押圧しても、別の位置を押圧したと判断し、すなわち位置ずれが生じてしまい、ボタン指定ができなくなるという不具合が生じる。従来は、このような場合、故障扱いにしてサービスマンコールで対処していた。
【０００４】
本発明は、上記に鑑みてなされたもので、位置ずれを容易な操作で適正に修正し、ボタン指定を正確に行い得るタッチパネル制御方法及び装置を提供することを目的とするものである。
【０００５】
【課題を解決するための手段】
請求項１記載の発明は、画像メモリから読み出された所定のボタンの画像を表示する画像表示器の表示面に積層されたタッチパネルから出力される押圧検知位置情報と画像メモリのアドレス情報とを対応させるタッチパネル制御装置であって、前記画像メモリの所定アドレスに記憶された少なくとも２個の調整用基準マークを前記画像表示器に読み出す調整用基準マーク表示制御手段と、前記調整用基準マーク表示制御手段によって前記画像表示器に前記調整用基準マークが表示されている間に押圧操作によって生じる前記タッチパネルからの押圧検知位置情報を取り込む押圧位置情報取得手段と、前記所定アドレスに前記押圧位置情報取得手段で取り込んだ押圧検知位置情報を対応づける位置調整手段とを備えたことを特徴とするものである。
【０００６】
請求項６記載の発明は、画像メモリから読み出された所定のボタンの画像を表示する画像表示器の表示面に積層されたタッチパネルから出力される押圧検知位置情報と画像メモリのアドレス情報とを対応させるタッチパネル制御方法であって、前記画像メモリの所定アドレスに少なくとも２個の調整用基準マークを読み出し可能に記憶し、前記画像表示器に前記調整用基準マークが表示されている間に押圧操作によって生じる前記タッチパネルからの押圧検知位置情報を取り込み、前記所定アドレスに、前記調整用基準マークが表示されている間に取り込んだ押圧検知位置情報を対応づける位置調整を行うことを特徴とするものである。
【０００７】
これらの発明によれば、画像メモリの所定アドレスに記憶された少なくとも２個の調整用基準マークが読み出され、画像表示器に前記調整用基準マークが表示されている間に押圧操作によって生じる前記タッチパネルからの押圧検知位置情報が取り込まれる。そして、前記所定アドレスに、前記調整用基準マークが表示されている間に取り込まれた押圧検知位置情報を対応づける位置調整が行われる。これにより、ずれ分が修正される。
【０００８】
請求項２記載の発明は、請求項１記載のタッチパネル制御装置において、前記表示画面を調整モードに切り替える調整モード切替手段を備え、前記調整用基準マーク表示制御手段は、調整モードへの切り替えに応じて前記調整用基準マークの表示を行うことを特徴とする。この構成によれば、調整モード切替手段によってずれの調整モードに画面が切り替えられ、これに応じて調整用基準マークが表示される。
【０００９】
請求項３記載の発明は、請求項２記載のタッチパネル制御装置において、前記タッチパネルから出力される押圧検知位置情報が、ボタンの画像データが書き込まれた画像メモリのアドレス範囲外であることを判定し、その判定回数をカウントするずれ回数計測手段を備え、前記調整モード切替手段は、前記ずれ回数計測手段のカウント値が所定値に達すると調整モードに切り替えることを特徴とする。この構成によれば、ずれ回数計測手段のカウント値が所定値に達すると、自動的に調整モードに切り替えられるので、ずれ発生を直ちに修正することが可能となる。
【００１０】
請求項４記載の発明は、請求項３記載のタッチパネル制御装置において、前記ずれ回数計測手段は、画面全体と画面に対して部分的とでずれ判定の結果を得て個別にカウントするもので、前記調整用基準マーク表示制御手段は、判定結果が画面全体に亘っている場合には、表示画面の対角位置に全体用の調整用基準マークを表示し、判定結果が部分的である場合には、表示画面の当該部分の領域の対角位置に部分用の調整用基準マークを表示し、前記位置調整手段は、全体用の調整用基準マークを表示した場合は、前記タッチパネルの押圧検知位置情報と前記アドレスとの関係を全範囲に亘って修正し、部分用の調整用基準マークを表示した場合は、タッチパネルの該部分の領域内について前記タッチパネルの押圧検知位置情報と前記アドレスとの関係を修正することを特徴とする。この構成によれば、ずれ回数計測手段は、画面全体に対するずれと部分的なずれとを個別にカウントするので、ずれの発生状況に合わせて、適切な範囲でのずれ調整が可能となる。
【００１１】
請求項５記載の発明は、請求項１〜４のいずれかに記載のタッチパネル制御装置において、前記位置調整手段は、前記所定アドレスに前記押圧位置座標取得手段で取り込んだ押圧検知位置情報を所定量だけ所定方向にずらして対応づけるようにしたことを特徴とする。この構成によれば、ユーザから観察したときの表示画面位置とタッチセンサ面の位置との角度に起因するずれ分を考慮して、その分、つまり所定量だけ積極的にずらすことが可能となる。
【００１２】
【発明の実施の形態】
図１は、本発明が適用される複写機の外観構成図である。図１において、複写機１は、内部に像形成部を備える本体部２、本体部２の上部に設けられた光学ユニット部３、原稿搬送装置４及び用紙搬送部５を備えると共に、本体部の下部には所要枚数の記録紙を積層して収納する給紙カセット６、記録紙排出部７，操作パネル部８を備える。操作パネル部８には画像表示器９及びキー群１０を備える。
【００１３】
本体部２の内部には、図略の像形成部が設けられている。像形成部は、公知のもので、感光体ドラムを備えると共に、該感光体ドラムを中心にその周囲に、ドラム表面を所定電位に帯電させる帯電部、原稿画像を光変調してドラム面に照射して静電潜像を形成する露光部、静電潜像にトナーを付着させて画像を顕在化させる現像部、顕在化されたドラム上の画像を記録紙に転写する転写部を備え、更にその用紙搬送方向下流側には定着部を備える。光学ユニット部３は、天井側に原稿がセットされるコンタクトガラスと、その下方に設けられた光源光をコンタクトガラスに照射する長尺光源と、光源を図１の左右方向に移動させる駆動機構部と、原稿からの反射光を光学（レンズ）系を介して受光するラインセンサとしての撮像手段と、撮像画像を一時的に記憶する記憶部を備える。原稿搬送装置４は、原稿セット部４ａと、セットされた原稿をその上位のものから１枚ずつ順次コンタクトガラス上に搬送すると共に光学ユニット３で読み取られたら原稿を外部に搬出する搬送部を備える。用紙搬送部５は、給紙カセット６から送り出された記録紙を像形成部へ搬送し、原稿画像が転写された記録紙を定着部で定着した後、記録紙搬出部７ａ、７ｂの一方に排出させるものである。
【００１４】
光学ユニット部３の前面側には操作パネル部８が所要角度だけ前方に傾けて設けられている。画像表示器９は例えば所定サイズを有する本実施形態では液晶表示パネルで、コピーに関連する機能などを表す各種のボタンを選択可能に表示するものである。なお、画像表示器９の表面には透明パネルからなるタッチセンサ１６（図２参照）を備える。タッチセンサ１６は、例えば透明なゴム材と導電性フィラを配合してなるパネル状の加圧導電性ゴムであり、押圧位置に応じた（加圧位置に応じた）電気抵抗を生じ得る結果、導電性フィラ両端での電圧レベルが変化するもので、この両端の電圧レベルを検出することによってパネル面での押圧位置を検知するものである。かかる構成を行、列各方向に対して形成しておくことで、押圧位置に応じた電圧を行、列方向それぞれに出力するようになされている。キー群１０は、スタートボタン、その他画像表示器９でボタンとして採用されていない各種機能を指定するための、押し込み式のキーからなる。
【００１５】
図２は、画像表示器９及びタッチセンサ１６の配置構造を示す側面図である。図２において、画像表示器９は液晶表示部９１を有し、その上部に照明用のフロントライト９２を備え、更にその上部に保護用の透明ガラス９３が積層して構成されている。タッチセンサ１６はガラス９３の上面に位置合わせされて積層配置されている。
【００１６】
図３は、タッチセンサ調整装置の一実施形態を示すブロック図である。制御部１１はＣＰＵを有するマイクロコンピュータ等で構成されており、制御プログラムを格納するＲＯＭ１２、処理中のデータを一時的に保存するＲＡＭ１３を備える。
【００１７】
画像メモリ１４は画像表示器９に表示される各種のメニューを表すボタンの画像及び後述の調整用基準マークの画像を記憶するものである。ボタンは画像形成に関連する各種のモード等の機能を表すもので、コピー倍率、コピー濃度、記録紙サイズ指定のための各ボタンの他、例えば、片面／両面原稿に対する片面／両面コピー（コピーモード）の指定用の各ボタンとか、カラーコピー対応の場合には、色変更指定用の各種色を示すためのボタンである。ＶＲＡＭ１５は画像表示器９に対応した画素アドレスを有するもので、制御部１１によって、画像メモリ１４から読み出されたボタン画像データはＶＲＡＭ１５に一旦展開される。ＶＲＡＭ１５に展開された画像データは、制御部１１によって画像表示器９に繰り返し読み出されて、いわゆる静止画像を生成する。
【００１８】
座標／アドレス対応関係記憶部１７は、画像表示器９の表示画面すなわちＶＲＡＭ１５のアドレスとタッチセンサ１６の押圧検知座標とを関連付けておくもので、これにより、所定のボタンの表示域を押圧したときに、該ボタンの画像のアドレス範囲内に検知座標が含まれるかどうかの判断が可能となり、この結果、ボタン指定が適正かどうかが判断できるようにしている。例えば、説明の便宜上、表示画面と一対一で対応するＶＲＡＭ１５のアドレスが仮に左右方向に、０〜５１１とし、一方、タッチセンサ１６の左右方向の検出電圧が０〜５．１２Ｖに設定されていたとすると、タッチセンサ１６からの検出電圧２．５５Ｖはアドレス２５５に換算される。このように検出電圧、ここでは座標とアドレスとを関連付けておくことで、画面に表示された画像の指定が正確に判定できることとなる。
【００１９】
制御部１１は、押圧位置座標取得部１１１、ずれ回数計測部１１２、ずれ調整モード切替部１１３、調整用基準マーク表示制御部１１４、及びずれ修正処理部１１５を備える。
【００２０】
押圧位置座標取得部１１１は、タッチパネル１６への押圧操作に応じて出力される電圧レベル信号から押圧位置座標（押圧位置情報）を得るものである。なお、電圧レベルと座標とを一対一に関連付ける態様でもよい。
【００２１】
ずれ回数計測部１１２は、アドレスと座標とが一対一に対応していない場合に、ボタンの表示位置を押圧操作したにも拘わらず、押圧位置座標取得部１１１及び座標／アドレス対応関係記憶部１７によって、ボタンの画像の表示領域外を指定した（ずれ発生）と判定したときに、その判定毎にずれ回数をカウントするものである。
【００２２】
図４は、ずれ発生及びその調整（修正）を説明するためのタッチパネルの画面図で、（ａ）は全体に位置ずれが生じている場合の説明図、（ｂ）は位置ズレ調整のための画面図を示している。図４（ａ）において、今、画像表示器９の表示面９００には通常操作モードとして、何等かの機能を示すタンＢ１とＢ２とが表示されているとする。この画面に対して、ユーザが位置Ｐ０を、指先あるいは所定のペンで押下したとすると、ずれが発生していなければ、位置Ｐ０はボタンＢ１の画像の表示域内であるから、ボタンＢ１を指定したと判断されるはずである。ここで、仮に、タッチセンサ１６で得られた検知座標が、換算の結果、位置Ｐ１に対応するということになると、ボタンＢ１の画像の表示域から外れており、何も指定できなかったこととなる。通常の操作として、ボタンの画像が表示されていない、つまり何の指定もできない領域をユーザが指定することはないと考えられることから、このような場合には、ずれが発生していると見ることができる。ずれ回数計測部１１２は、この時の回数をカウントする。
【００２３】
また、ずれ回数計測部１１２は、図４で説明すれば、ボタンＢ１を指定する場合にも、ボタンＢ２を指定する場合にも、ずれが発生したと判定されると、全体的にずれが発生しているとして、図４（ｂ）の全体ずれに対するずれ調整（修正）を行わせる。一方、ずれ回数計測部１１２は、図４に対応する図５（ａ）で説明すると、ボタンＢ１を指定する場合にはずれが発生（押下位置Ｐ１０に対して検知座標位置Ｐ１１）するものの、ボタンＢ２を指定する場合には正常に指定（押下位置Ｐ２０に対して検知座標位置Ｐ２１）できると判定されるときは、ボタンＢ１に対してカウント値がアップされていき、ボタンＢ２に対してはカウント動作は行われない。このように、本実施形態では、ずれ回数計測部１１２は、画面を部分的に区分してずれ発生を個別にカウントし、あるいは表示ボタン単位で部分的にずれ発生を個別にカウントする各カウンタを備える。部分的ずれと判断された場合には、例えば図５（ｂ）で説明するずれ調整処理が行われることとなる。
【００２４】
ずれ調整モード切替部１１３は、ずれ回数計測部１１２のカウント値が所定値に達すると、図４（ｂ）、図５（ｂ）に示す、ずれ調整モード画面に切り替えるものである。
【００２５】
調整用基準マーク表示制御部１１４は、ずれ調整モード画面への切替に連動して、画像メモリ１４から調整用基準マークＭ１、Ｍ２を、図４（ｂ）、図５（ｂ）に示すように、画面の所定位置に表示するものである。この調整用基準マークＭ１、Ｍ２は押圧位置をユーザに促すためのものである。調整用基準マークは調整範囲の対角位置に、２個表示するようにし、ユーザに少ない押下操作で済むようにしている。少なくとも対角位置を押下することで、調整用基準マークＭ１、Ｍ２で囲まれる長方形状の領域に対してずれ量を検出でき、かつ修正することが可能となる。
【００２６】
ずれ修正処理部１１５は、調整用基準マークＭ１，Ｍ２のＶＲＡＭ１５内のアドレスとタッチセンサ１６からの検知座標とをアドレス換算したときのずれ分を上下方向、左右方向のそれぞれで算出し、このずれ分を相殺するべく、アドレス分つまりずれ座標値分だけ逆方向にずらして、検出電圧レベルと関連付けるようにするものである。このような修正を施すことで、調整（修正）前と同一レベルの電圧が検出されても、換算される座標がマークＭ１（Ｍ２）のＶＲＡＭ１５のアドレスに対応することとなるので、ボタンＢ１（Ｂ２）を指定したと判断されることとなる。修正値は、座標／アドレス対応関係記憶部１７の換算に修正を施すように利用される。あるいは座標／アドレス対応関係記憶部１７の対応関係（換算内容）を更新するようにしてもよい。図５（ｂ）による部分ずれ調整では、検知座標が部分領域の境界で不連続になるが、この部分領域の外側をボタンなどの画像が表示されない域に設定しておけば、特に問題はなくなる。
【００２７】
図６は、ずれ調整の動作を説明するフローチャートである。先ず、ずれ回数が所定値に達したかどうかが判断される（ステップＳ１）。所定値未満であればそのままスルーし、所定値に達していれば、「全体調整要」かどうかが判断される（ステップＳ３）。「全体調整要」であれば、ステップＳ５に移行し、部分調整であればステップＳ１１に移行する。
【００２８】
ステップＳ５では、図４（ｂ）に示すように全体調整用基準マークＭ１、Ｍ２が画面の対角位置に表示され、この状態で、ユーザにより２箇所の押圧操作に基づく押圧位置座標が取得されたかどうかが判断される（ステップＳ７）。２個の押圧位置座標が取得されると、ずれ修正処理部１１５による全体に対するずれ修正処理が実行されて（ステップＳ９）、本フローを終了する。
【００２９】
部分調整の場合には、ステップＳ１１で、図５（ｂ）に示すように全体調整用基準マークＭ１、Ｍ２が画面の一部である（この例では、図５（ａ）のボタンＢ１の表示域に対応する）領域の対角位置に表示され、この状態で、ユーザにより２箇所の押圧操作に基づく押圧位置座標が取得されたかどうかが判断される（ステップＳ１３）。２個の押圧位置座標が取得されると、ずれ修正処理部１１５による部分的なずれ修正処理が実行されて（ステップＳ１５）、本フローを終了する。
【００３０】
なお、本発明は、以下の態様が採用可能である。
（１）ずれ修正の換算内容の変更は、本実施形態では、タッチセンサ１６から取得される検知座標とＶＲＡＭ１５のアドレスとの関係で説明したが、これに代えて、タッチセンサ１６から出力される電圧レベル（検出信号）と検知座標との間での換算内容を変更しても同様の結果が得られる。
（２）本実施形態では、調整用基準マークを対角位置の２個に設定してユーザの作業を簡易化しているが、これに代えて、表示画面内の隅部の４点を設定してもよいし、あるいは４辺の縁部のうちの３辺の適所位置を設定してもよい。このようにすればより精度の高いずれ調整が期待できる。
（３）本実施形態では、ずれ回数計測部１１２によって調整モードへ変更するようにしたが、これに代えて、複写機がある条件（電源オン、所定枚数コピー毎）になったとき、環境温度が大きく変化したとき、さらには所定の時間経過毎に本モードに移行するようにしてもよく、また、マニュアル操作による所望時にモード移行を指示可能な構成としてもよい。
（４）図１に示すように、操作パネル８は操作性を考慮して前方に傾斜して設けられている一方、ユーザの目はタッチセンサ１６の面をその法線方向からかなり傾斜した上方向から見ることとなる。このため、図２に示すように、液晶表示部９１とタッチセンサ１６の間にフロントライト９２や保護ガラス９３を介設して液晶表示部９１の画面とタッチセンサ１６のタッチ面との間の離間寸法が大きいと、液晶表示部９１の正確な真上でタッチセンサ１６を押下していないことが考えられる。このような場合に、複写機の高さ、操作パネル８の傾斜角度、液晶表示部９１の画面とタッチセンサ１６のタッチ面との間の離間寸法から計算上のずれ量を算出し、この分を相殺するべく、本発明が適用されることで、ユーザベースで（かならずしも、ずれ発生ではなくとも）調整を行うことができ、ユーザインターフェースとして汎用性の高いタッチパネルが提供できることとなる。
【００３１】
【発明の効果】
請求項１、６記載の発明によれば、画像メモリのアドレスとタッチセンサからの検知座標とのずれ量が調整でき、この結果、ボタン指定を正確に行うことができる。
【００３２】
請求項２記載の発明によれば、調整モード切替手段によってずれの調整モードに画面を切り替え、かつ調整用基準マークを自動的に表示することができる。
【００３３】
請求項３記載の発明によれば、ずれ回数計測手段のカウント値が所定値に達すると、自動的に調整モードに切り替えるので、ずれ発生を直ちに修正することができる。
【００３４】
請求項４記載の発明によれば、ずれ回数計測手段によって、画面全体に対するずれと部分的なずれとを個別に検出できるので、ずれの発生状況に合わせて、適切な範囲でのずれ調整ができる。
【００３５】
請求項５記載の発明によれば、ユーザから観察したときの表示画面位置とタッチセンサ面の位置との角度に起因するずれ分を考慮して、その分、つまり所定量だけ積極的にずらすことが可能となる。
【図面の簡単な説明】
【図１】本発明が適用される複写機の外観構成図である。
【図２】画像表示器及びタッチセンサの配置構造を示す側面図である。
【図３】タッチセンサ調整装置の一実施形態を示すブロック図である。
【図４】ずれ発生及びその調整柄を説明するためのタッチパネルの画面図で、（ａ）は全体に位置ずれが生じている場合の説明図、（ｂ）は位置ズレ調整のための画面図を示している。
【図５】ずれ発生及びその調整柄を説明するためのタッチパネルの画面図で、（ａ）は部分的に位置ずれが生じている場合の説明図、（ｂ）は位置ズレ調整のための画面図を示している。
【図６】ずれ調整の動作を説明するフローチャートである。
【符号の説明】
１  複写機（画像形成装置）
９  画像表示器
１４  画像メモリ
１５  ＶＲＡＭ
１６  タッチセンサ
１７  座標／アドレス対応関係記憶部
１１  制御部
１１１  押圧位置座標取得部
１１２  ずれ回数計測部
１１３  ずれ調整モード切替部
１１４  調整用基準マーク表示制御部
１１５  ずれ修正処理部
Ｂ１，Ｂ２  ボタン
Ｍ１，Ｍ２  調整用基準マーク
【図１】
2004185145.tif 000003
【図２】
2004185145.tif 000004
【図３】
2004185145.tif 000005
【図４】
2004185145.tif 000006
【図５】
2004185145.tif 000007
【図６】
2004185145.tif 000008